(57)【要約】      （修正有）【課題】光ディスクの着脱時に光ディスクに傷がつくことを確実に抑える。【解決手段】光ピックアップの対物レンズが装着されたスレッドと、光ディスクを回転可能に保持するディスクテーブルが設けられるとともに、スレッドを移動可能に支持するベース部材３０８と、ベース部材３０８の上面と当接し、ベース部材３０８を覆うカバープレート３２０と、ベース部材３０８の周縁部に設けられ、カバープレートとの間に隙間を形成する退避面３３４と、を備える。【選択図】図６
2009283092.tif 000002
【特許請求の範囲】
【請求項１】
光ピックアップの対物レンズが装着されたスレッドと、
光ディスクを回転可能に保持するディスクテーブルが設けられるとともに、前記スレッドを移動可能に支持するベース部材と、
前記ベース部材の上面と当接し、前記ベース部材を覆うカバープレートと、
前記ベース部材の周縁部に設けられ、前記カバープレートとの間に隙間を形成する退避面と、
を備える、ベースユニット。
【請求項２】
前記退避面は、前記ベース部材の平面形状のコーナー部に設けられた、請求項１に記載のベースユニット。
【請求項３】
前記退避面は、光ディスクが前記ディスクテーブルに装着された状態では、光ディスクの外縁よりも内側の領域に位置している、請求項１に記載のベースユニット。
【請求項４】
前記カバープレートの外形のエッジ部分には、半径０．８ｍｍ以上のＲ形状が設けられた、請求項１に記載のベースユニット。
【請求項５】
光ディスクのトラックにレーザ光を照射するとともに、光ディスクからの反射光を受光する光ピックアップと、
前記反射光により検出された信号から再生信号を取得する再生部と、
光ディスクに照射するレーザ光を変調する変調部と、
前記光ピックアップの対物レンズが装着されたスレッドと、
光ディスクを回転可能に保持するディスクテーブルが設けられるとともに、前記スレッドを移動可能に支持するベース部材と、
前記ベース部材の上面と当接し、前記ベース部材を覆うカバープレートと、
前記ベース部材の周縁部に設けられ、前記カバープレートとの間に隙間を形成する退避面と、
を備える、光ディスク装置。
【発明の詳細な説明】
【技術分野】
【０００１】
本発明は、ベースユニット及び光ディスク装置に関する。
【背景技術】
【０００２】
従来、例えば下記の特許文献１には、光ディスクと接触する箇所にディスク保護部材を付設することが記載されている。ディスク保護部材を付設することにより、光ディスクをディスクテーブルにチャッキングする際に、不用意に傾けたり、強く押し付けたりした場合に、データ記録面に傷が付くことを防止することができる。
【０００３】
【特許文献１】特開２０００−１１６３０号公報
【発明の開示】
【発明が解決しようとする課題】
【０００４】
しかしながら、光ディスクが当接することが想定される箇所にディスク保護部材を付設する方法では、部品点数が必然的に多くなるため、製造コストが増加するという問題がある。また、シール状のディスク保護部材を貼り付ける場合、貼り付ける位置にバラツキが生じるため、所望の位置に貼付けられていない場合は、接触により光ディスクに傷がつくことが想定される。更に、シール状のディスク保護部材の場合、保護部材の剥がれによりディスクの保護機能が失われるという問題がある。
【０００５】
また、近時における光ディスク装置への小型化、薄型化の要請により、光ディスクとディスクテーブルとの距離はより近接する傾向にある。従って、ディスクテーブルにディスク保護部材を付設したとしても、光ディスクとディスク保護部材が接触することにより、光ディスクのデータ記録面に傷がつくことが想定される。特に、光ディスクをディスクテーブルに装着する際には、操作者により大きな力（１ｋｇｆ程度）が加えられる場合がある。このような場合、ディスク保護部材を付設したとしても、光ディスクの記録面が傷つくことを抑えることは困難である。
【０００６】
そこで、本発明は、上記問題に鑑みてなされたものであり、本発明の目的とするところは、光ディスクの着脱時に光ディスクに傷がつくことを確実に抑えることが可能な、新規かつ改良されたベースユニット及び光ディスク装置を提供することにある。
【課題を解決するための手段】
【０００７】
上記課題を解決するために、本発明のある観点によれば、光ピックアップの対物レンズが装着されたスレッドと、光ディスクを回転可能に保持するディスクテーブルが設けられるとともに、前記スレッドを移動可能に支持するベース部材と、前記ベース部材の上面と当接し、前記ベース部材を覆うカバープレートと、前記ベース部材の周縁部に設けられ、前記カバープレートとの間に隙間を形成する退避面と、を備える、ベースユニットが提供される。
【０００８】
また、前記退避面は、前記ベース部材の平面形状のコーナー部に設けられたものであってもよい。
【０００９】
また、前記退避面は、光ディスクが前記ディスクテーブルに装着された状態では、光ディスクの外縁よりも内側の領域に位置しているものであってもよい。
【００１０】
また、前記カバープレートの外形のエッジ部分には、半径０．８ｍｍ以上のＲ形状が設けられたものであってもよい。
【００１１】
また、上記課題を解決するために、本発明の別の観点によれば、光ディスクのトラックにレーザ光を照射するとともに、光ディスクからの反射光を受光する光ピックアップと、前記反射光により検出された信号から再生信号を取得する再生部と、光ディスクに照射するレーザ光を変調する変調部と、前記光ピックアップの対物レンズが装着されたスレッドと、光ディスクを回転可能に保持するディスクテーブルが設けられるとともに、前記スレッドを移動可能に支持するベース部材と、前記ベース部材の上面と当接し、前記ベース部材を覆うカバープレートと、前記ベース部材の周縁部に設けられ、前記カバープレートとの間に隙間を形成する退避面と、を備える光ディスク装置が提供される。
【発明の効果】
【００１２】
本発明によれば、光ディスクの着脱時に光ディスクに傷がつくことを確実に抑えることが可能となる。
【発明を実施するための最良の形態】
【００１３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１４】
図１は、本発明の一実施形態にかかる光ディスク装置２００が搭載された撮像装置１００を示す斜視図である。撮像装置１００は、光学レンズ１０２により被写体像を撮像素子の撮像面に結像させ、光電変換により被写体像の撮像データを取得する。撮像データは、撮像装置１００が備える光ディスク装置２００により、ディスク状記録媒体に記録される。ディスク状記録媒体としては直径Ｄ＝１２ｃｍ、または８ｃｍのＣＤ−ＲＯＭ、ＣＤ−Ｒ、ＣＤ−ＲＷ、ＤＶＤ−ＲＷ等の高密度記録用ディスク等の光ディスク４００を使用することができる。
【００１５】
図１に示すように、光ディスク４００は、撮像装置１００の光ディスク装置２００の蓋１０４を開いた状態で、光ディスク装置２００に対して着脱される。なお、本実施形態では、光ディスク装置２００が撮像装置１００に搭載されるものとしたが、光ディスク装置１００は、ノート型パーソナルコンピュータ等の他の電子機器に搭載されることができる。
【００１６】
図２は、光ディスク装置２００の構成を示すブロック図である。光ディスク装置２００は、光ディスク４００へのデータの書き込み（記録）、及び光ディスク４００からのデータの読出し（再生）を行う。
【００１７】
光ディスク装置２００は、光ピックアップ２０２、スピンドルモータ２０６、スレッドモータ２０８、サーボ制御部２１０、復号信号処理部（再生部）２１２、変調信号処理部（変調部）２１４、バッファコントローラ２１６、バッファメモリ２１８、マイクロコンピュータ２２０を備える。
【００１８】
データ記録時には、撮像装置１００の撮像素子（不図示）により取得されてバッファメモリ２１８に蓄積された撮像データが、バッファコントローラ２１６により変調信号処理部２１４に送られる。変調信号処理部２１４では、光ディスク４００に記録する際に変調処理が行われる。例えば、ブルーレイ(Blu-ray)のディスクの場合、１７変調が順に施される。これらの変調されたデータに応じてレーザが変調され、光ピックアップ２０２によりレーザを照射することで、光ディスク４００上にデータが記録される。
【００１９】
また、データ再生時には、まず、光ピックアップ２０２によって記録データに相当する光強度信号（ＲＦ信号）が読取られる。読取られた信号は、波形整形後に復号信号処理部２１２によって２値化され、デジタルの０，１データに変換される。２値化された信号は、バッファコントローラ２１６によりバッファメモリ２１８に蓄積される。
【００２０】
マイクロコンピュータ２２０は、制御信号をサーボ回路２１０に与える。光ディスク４００を駆動するためのスピンドルモータ２０６、トラッキングを制御するためのスレッドモータ２０８、光ディスク４００に対する光ピックアップ２０２の位置を制御するためのアクチュエータ等は、サーボ回路２１０により制御される。従って、光ディスクドライブ部２００では、マイクロコンピュータ２２０の制御により、光ディスク４００上の所望の位置に撮像データを書き込んだり、光ディスク４００上の所望の位置からデータを読取って再生することができる。また、マイクロコンピュータ２２０は、バッファコントローラ２１６に制御信号を送り、バッファメモリ２１８内のデータの送受信を制御する。
【００２１】
次に、図３に基づいて、光ディスク装置２００のベースユニット３００について説明する。図３は、後述するシャーシカバー３２０を取り外した状態でのベースユニット３００の外観を示す模式図である。図３に示すように、ベースユニット３００は、光ディスク４００が装着されるディスクテーブル３５０を備えている。ディスクテーブル３５０の上端に形成されているセンターリングガイド３５２の上端外周には、３等分配置のセルフチャキング機構３５４が備えられている。スピンドルモータ２０６の回転軸はディスクテーブル３５０と一体化されている。光ディスク４００がディスクテーブル３５０に装着されると、セルフチャッキング機構３５４が光ディスク４００の中心の孔４０２の内周面に係合し、光ディスク４００がディスクテーブル３５０に対して固定される。
【００２２】
光ピックアップ２０２の対物レンズ２０３を光ディスク４００の径方向に移送するスレッド移送機構は、ガイド用主軸３０２、リードスクリュー３０４、リードスクリュー３０４の駆動用モータ３０６（スレッドモータ２０８）等によって構成されている。
【００２３】
そして、このスレッド移送機構の複数の機構部品は、１ピースのベース部材３０８に組み込まれ、ユニット化することによって、ベースユニット３００が構成されている。
【００２４】
ベース部材３０８は、金属板をプレス成形することによって構成されている。ベース部材３０８には、２つのガイド用主軸３０２が固定されている。そして、光ピックアップ２０２の対物レンズ２０３が搭載されているスレッド３１２には、その一端側に形成された円筒状の穴である一対のスラスト軸受け３１４が設けられ、スラスト軸受け３１４にはガイド用主軸３０２が挿入されている。また、スレッド３１２には、その他端側にＵ溝３１６が設けられ、Ｕ溝３１６にもガイド用主軸３０２が挿入されている。
【００２５】
リードスクリュー３０４は、駆動用モータ３０６の主軸と一体化され、ガイド用主軸３０２と平行に延在している。そして、スレッド３１２のスラスト軸受け３１４の近傍からは、リードスクリュー３０４に向けてニードル３１８が設けられている。ニードル３１８は、リードスクリュー３０４の外周のラセン状のスクリュー溝に係合されている。従って、駆動用モータ３０６が駆動されると、リードスクリュー３０４が回転し、スクリュー溝に係合したニードル３１８がリードスクリュー３０４の軸方向に沿って移動する。これにより、ニードル３１８と一体化されたスレッド３１２は、リードスクリュー３０４の軸方向へ移動する。従って、駆動用モータ３０６の駆動により、光ピックアップ２０２の対物レンズ２０３を光ディスク４００の径方向に移動することができる。
【００２６】
ベース部材３０８の上面には、薄い板金で構成されたシャーシカバー３２０が装着される。スレッド３１２に搭載されている対物レンズ２０３は、シャーシカバー３２０に形成された開口部３２２の上方に露出されている。
【００２７】
ベースユニット３００は、撮像装置１００に対してネジ止め等により固定される。図１に示すように、ベースユニット３００が撮像装置１００に固定された状態では、ベースユニット３００の上面は、周辺の構造物に対して一段高い面を構成し、周辺に対して突出している。
【００２８】
図４は、ベースユニット３００を拡大して示す斜視図である。また、図５は、図４に示すベースユニット３００に対して、シャーシカバー３２０を装着した状態を示す斜視図である。
【００２９】
図６は、図５に示す一点鎖線Ｉ−Ｉに沿った断面を示す模式図である。図４及び図６に示すように、ベースユニット３００の平面形状のコーナー部３３０の位置において、ベース部材３０８の上面には段差３３２が設けられている。そして、段差３３２を設けたことにより、コーナー部３３０において、ベース部材３０８の上面は他の領域よりも１ｍｍ程度低い退避面３３４とされている。
【００３０】
図６に示すように、コーナー部３３０において段差３３２を設け、退避面３３４を形成したことにより、シャーシカバー３２０の裏面と退避面３３４との間に隙間が形成される。従って、コーナー部３３０では、シャーシカバー３２０は下向きに撓むことができる。
【００３１】
図７は、光ディスク４００をベースユニット３００に装着した状態で、光ディスク４００の上から大きな荷重がかけられた状態を示している。光ディスク４００に荷重がかけられると、光ディスク４００が撓み、コーナー部３３０の位置でシャーシカバー３２０の上面が光ディスク４００に押される。ここで、シャーシカバー３２０とベース部材３０８の間には、退避面３３４を形成したことにより隙間が設けられているため、光ディスク４００に押されたシャーシカバー３２０は下向きに撓んだ状態となる。
【００３２】
この状態では、光ディスク４００とシャーシカバー３２０が同じ方向に撓んでいるため、光ディスク２００の裏面（データ記録面）はシャーシカバー３２０の表面に対して面接触する。このため、光ディスク４００の上面に荷重がかかり、光ディスク４００が下向きに撓んだ場合であっても、面接触により光ディスク４００の裏面へ傷が生じることを最小限に抑えることができる。
【００３３】
図７に示すように、シャーシカバー３２０のエッジにはＲ形状が設けられている。ここで、Ｒ形状の半径が０．６ｍｍ以下になると光ディスク４００の裏面に傷がつく場合がある。このため、Ｒ形状の半径は０．８ｍｍ以上にすることが望ましい。これにより、光ディスク４００の裏面に傷が生じることを確実に抑止できる。
【００３４】
図８は、比較のため、退避面３３４を設けていない場合に、光ディスク４００の上から荷重がかけられた状態を示している。図８に示すように、退避面３３４を設けていない場合は、荷重により光ディスク４００が撓んだとしても、シャーシカバー３２０は殆ど撓むことはない。従って、光ディスク４００の裏面は、コーナー部３３０において、シャーシカバー３２０の周縁のエッジに接触する。このため、コーナー部３３０のエッジにより光ディスク４００の裏面に傷が生じてしまうことが想定される。
【００３５】
本実施形態では、ベース部材３０８に退避面３３４を設けたことにより、光ディスク４００が荷重を受けて撓んだ場合に、光ディスク４００に押されたシャーシカバー３２０が退避面３３４の位置まで退避する。従って、光ディスク４００の裏面に対して、シャーシカバー３２０から大きな力が加わることを回避できる。また、シャーシカバー３２０が撓むことにより、光ディスク４００の裏面とシャーシカバー３２０の表面が面接触するため、
光ディスク４００の裏面に傷がつくことを確実に抑止できる。
【００３６】
また、ベースユニット３００のコーナー部３３０は、突起状に突出しているため、光デ４００の裏面と接触した場合に、裏面に傷が生じ易くなる。本実施形態では、コーナー部３３０に退避面３３４を設けているため、コーナー部３３０において光ディスク４００の裏面とベースユニット３００が当接した場合においても、光ディスク４００の裏面に傷が生じてしまうことを確実に抑えることができる。
【００３７】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００３８】
【図１】本発明の一実施形態にかかる光ディスク装置が搭載された撮像装置を示す斜視図である。
【図２】光ディスク装置の構成を示すブロック図である。
【図３】シャーシカバーを取り外した状態でのベースユニットの外観を示す模式図である。
【図４】ベースユニットを拡大して示す斜視図である。
【図５】図４に示すベースユニットに対して、シャーシカバーを装着した状態を示す斜視図である。
【図６】図５に示す一点鎖線Ｉ−Ｉに沿った断面を示す模式図である。
【図７】光ディスクをベースユニットに装着した状態で、光ディスクの上から荷重がかけられた状態を示す模式図である。
【図８】退避面を設けていない場合に、光ディスクの上から荷重がかけられた状態を示す模式図である。
【符号の説明】
【００３９】
２００    光ディスク装置
２０２    光ピックアップ
２０３    対物レンズ
２１２    復号信号処理部
２１４    変調信号処理部
３００    ベースユニット
３０８    ベース部材
３１２    スレッド
３２０    カバープレート
３３４    退避面
３５０    ディスクテーブル
【図１】
2009283092.tif 000003
【図２】
2009283092.tif 000004
【図３】
2009283092.tif 000005
【図４】
2009283092.tif 000006
【図５】
2009283092.tif 000007
【図６】
2009283092.tif 000008
【図７】
2009283092.tif 000009
【図８】
2009283092.tif 000010